(57)【特許請求の範囲】
【請求項１】
少なくとも４辺が存在する凹所があるホルダーと前記ホルダーに収められた一つ以上の辺に配線が設けられた液晶パネルを備える液晶表示装置において、前記液晶パネルの前記配線が存在する辺のコーナー部分に設けた前記ホルダーと前記液晶パネルの間の隙間を埋める位置決めクッション材と、前記位置決めクッション材に対向する前記液晶パネルの辺が当接する前記ホルダーの当接面とを有し、前記位置決めクッション材は前記ホルダーに対しピンおよび穴により回動可能に保持され、前記位置決めクッション材の回動を制止するリブを前記ホルダーに設けたことを特徴とする液晶表示装置。
【請求項２】
前記クッション材は前記液晶パネルの角部２辺が当接位置決めされる略直角に切り欠かれている切り欠き部を有することを特徴とする請求項１に記載の液晶表示装置。
【発明の詳細な説明】
【０００１】
【発明の属する技術分野】
本発明は、携帯電子機器及び小型電子機器に用いられる液晶表示装置に関するものである。
【０００２】
【従来の技術】
従来、携帯電子機器及び小型電子機器等の表示部に液晶パネルを備えた液晶表示装置が多く使用されている。このような電子機器は持ち運ばれることが多いことから、落下時の衝撃や搬送時の振動による外力を受けたりすることも多く、その衝撃力や振動は液晶パネルに悪い影響を及ぼす。このため、その衝撃力や振動を吸収する方法が例えば特開平１０−１２３４８７号公報に提案されている。
【０００３】
【発明が解決しようとする課題】
しかし、従来の衝撃力や振動を吸収する方法は、液晶パネルの外周囲に弾性体を介して保持する等、構造が複雑で、スペースが大きくなったり、コスト高になるという問題があった。また、弾性体だけの保持では、液晶パネルの大型化による質量増加に伴う弾性体の変形により、液晶パネルの損傷または液晶パネルに接続されているプリント配線フィルム基板（以下ＴＡＢ：Tape Automated Bondingと称する）が損傷し、品質の保持には不十分であった。そこで、衝撃力や振動を簡便に吸収し、実施の容易な緩衝機能を備えた液晶表示装置が要望されている。
【０００４】
本発明はこのような要望に応えるためになされたもので、その目的は簡単、かつ安価な構造で、外部からの衝撃力や振動を吸収できる液晶表示装置を提供するものである。
【０００５】
【課題を解決するための手段】
本発明の液晶表示装置は、少なくとも４辺が存在する凹所があるホルダーと前記ホルダーに収められた一つ以上の辺に配線が設けられた液晶パネルを備える液晶表示装置において、前記液晶パネルの前記配線が存在する辺のコーナー部分に設けた前記ホルダーと前記液晶パネルの間の隙間を埋める位置決めクッション材と、前記位置決めクッション材に対向する前記液晶パネルの辺が当接する前記ホルダーの当接面とを有し、前記位置決めクッション材は前記ホルダーに対しピンおよび穴により回動可能に保持され、前記位置決めクッション材の回動を制止するリブを前記ホルダーに設けた構成を有している。この構成により、外部からの振動や衝撃力はゴム製のクッシヨン材で吸収され、液晶パネルに付加されるのを弱めて液晶パネルを保護することができる。しかも、ゴム製のクッション材を設けるだけで済むので、簡単な構造で、しかも安価に実現できることとなる。
【０００７】
また、本発明の液晶表示装置は、前記クッション材は前記液晶パネルの角部２辺が当接位置決めされる略直角に切り欠かれている切り欠き部を有するようにしたものである。この構成により、切り欠き部に液晶パネルの角部を当接させて配置することにより、ホルダーに対して液晶パネルを簡単、かつ正確に位置決めすることができることとなる。
【０００８】
【発明の実施の形態】
以下、本発明の実施の形態について、図面を用いて説明する。図１は本発明の実施の形態に係る液晶表示装置の外観斜視図である。図１に示す液晶表示装置１では、外側が上フレーム２ａと下フレーム２ｂとでなる合成樹脂製のフレーム２で覆われ、フレーム２内に配置されている液晶パネル４を上フレーム２ａに形成している前面の開口部３に露出させた構造になっている。図２は上下のフレーム２ａ，２ｂを取り外して液晶表示装置の内部構造を示す斜視図で、図３はその内部構造の分解斜視図、図４は図２のＡ−Ａ線拡大断面図である。液晶パネル４は、図８に単品でも示しているように、四角形の板状に形成されており、３つの外縁には折り曲げ自在なＴＡＢ５を備え、そのＴＡＢ５を裏面側に回し、液晶パネル４の裏面でプリント基板（不図示）に接続させている。
【０００９】
液晶パネル４がセットされるホルダー６は合成樹脂製で、一面側には四角形をした凹所７が形成され、全体として扁平をしたケース状に作られている。その凹所７には、液晶パネル４が受け入れられている。その凹所７の深さは液晶パネル４と、この液晶パネル４の裏面側に配設されている図示せぬプリント基板の厚みよりも大きく形成されていて、凹所７内には液晶パネル４とプリント基板とが重ねられた状態でセット可能になっている。また、ＴＡＢ５が取り付けられている３つの外縁と凹所７の内面との間には隙間σ１（図４参照）が設けられ、その隙間σ１でＴＡＢ５が凹所７の内面と接触しないようにしている。その隙間σ１は、ホルダー６内に配置されたクッション材８により確保されている。さらに、液晶パネル４の左右両側の外縁上部に、その外縁に沿って延びる硬質シート１３を配置しており、凹所７の内面と硬質シート１３との間には隙間σ２（図４参照）が設けられている。その隙間σ２をσ１よりも小さくすることによって、クッション材８が外部からの衝撃力や振動で変形しても、硬質シート１３が凹所７の内面に当接し、ＴＡＢ５が凹所７の内面と接触しないようにしている。
【００１０】
さらに、液晶パネル４のＴＡＢ５が取り付けられている３つの外縁と対応している凹所７内の部分には取付リブ９が一体に設けられており、その取付リブ９が設けられている部分ではその取付リブ９が凹所７の内面として機能している。なお、取付リブ９は、左右２個所の各コーナー部分において、隣接する同志は連結していない。すなわち、図３のＢ部を拡大した斜視図である図７を見ることによって容易に理解できるように、間には隙間を設けた構造になっている。さらに、その各コーナ部分内の略中心には位置決めピン１０が開口方向に向かって一体に形成されている。
【００１１】
クッション材８はゴム製で、図６に単品で示しているように小片で、凹所７内の左右２個所の各コーナー部分に１つづつ装着されている。そのクッション材８の厚みは、凹所７の深さに略等しく、中心には位置決めピン１０が挿入される位置決め穴１１が設けられ、両側の端部には隣接し合っている取付リブ９の端部が挿入されるスリット１２が形成されている。さらに、内側を向いた部分を略直角な２つの面８ａ，８ｂを設けて切り欠き、液晶パネル４の角部、すなわちコーナー部分を受ける部分として形成されている。そして、そのクッション材８は、図２のＣ部を拡大した平面図である図５を見ることによって容易に理解できるように、位置決め穴１１に位置決めピン１０を挿入させるとともに、左右のスリット１２に取付リブ９の端部を挿入させて各コーナー部分に位置決め装着される。また、このようにクッション材８が装着された後から、液晶パネル４が凹所７内に装着され、その液晶パネルのコーナー部分が面８ａ，８ｂに当接されて位置決められる。
【００１２】
このように構成されている液晶表示装置１では、液晶パネル４が凹所７内に装着されるのに先立って左右２個所の位置にクッション材８が取り付けられる。その後、プリント基板及びＴＡＢ５が取り付けられている液晶パネル４を、そのＴＡＢ５が取り付けられている外縁が交わっている左右２つのコーナー部分４ａを面８ａ，８ｂに当接位置決めさせた状態にして、凹所７内に落とし込み配置させる。このようにして凹所７内に落とし込まれた液晶パネル４は、３つの外縁がクッション材８で位置決めされ、残りの一つの外縁は凹所７の内面に直に面当接されて位置決めされる。また、この凹所７内に位置決めされた状態では、ＴＡＢ５が設けられている外縁と取付リブ９との間には隙間σ１が設けられていて、ＴＡＢ５が凹所７の内面（取付リブ９）に直に接触しないようにしている。
【００１３】
さらに、前記液晶パネル４の左右両側の外縁上部に、その外縁に沿って延びる硬質シート１３を配置し、凹所７の内面（取付リブ９）との間に、その隙間σ２をσ１よりも小さく設けることによって、クッション材８が外部からの衝撃力や振動で変形しても、硬質シート１３が凹所７の内面に当接し、ＴＡＢ５が凹所７の内面と接触しないようにしている。これは、外部から衝撃力や振動が加えられたようなときに、ＴＡＢ５が凹所７の内面（取付リブ９）と、液晶パネル４の外縁との間で挟まれてプリント配線を傷めたり。ＴＡＢ５が凹所７の内面（取付リブ９）に擦れて損傷するのを防止している。
【００１４】
したがって、このように構成されている本実施の形態における液晶表示装置では、液晶パネル４の外縁とホルダー６の凹所７の内面との間に、安価に得ることができるゴム製のクッション材８を設けているので、外部からの振動や衝撃力はクッシヨン材８で吸収され、液晶パネル４への影響を弱めて液晶パネル４を保護することができる構造を、コストを上げることなく、安価に実現できる。
【００１５】
また、前記液晶パネル４の左右両側の外縁上部に、その外縁に沿って延び安価に得ることができる硬質シート１３を配置し、前記クッション材８にて設けた液晶パネル４およびＴＡＢ５の外縁とホルダー６の凹所７の内面との隙間σ１よりも小さい隙間σ２を、硬質シート１３と凹所７の内面との間に設けることにより、衝撃力や振動による液晶パネル４の移動を抑制し、液晶パネル４およびＴＡＢ５への影響を弱めて液晶パネル４およびＴＡＢ５を保護することができる構造を、コストを上げることなく、安価に実現することができる。
【００１６】
なお、上記実施の形態のでは、ゴム製のクッシヨン材８を、ＴＡＢ５が取り付けられている外縁が交差している左右２つのコーナー部分にだけ設けた構造を開示部分したが、４つのコーナ部分にそれぞれ１つづつ設けた構造にしても良い。
【００１７】
また、上記の実施の形態では、硬質シート１３を、液晶パネル４の左右２ケ所に設けた構造を開示したが、左右およびＴＡＢ５が取り付けられている上辺それぞれに設けた構造にしてもよい。
【００１８】
【発明の効果】
以上説明したように、本発明の液晶表示装置は、上記実施の形態より明らかなように、外部からの振動や衝撃力を吸収して液晶パネルを保護し、故障を抑えて信頼性を向上させることができるという優れた効果が期待できるものである。
【図面の簡単な説明】
【図１】本発明の一実施の形態に係る液晶表示装置の外観斜視図
【図２】本実施の形態における液晶表示装置の内部構造を示す斜視図
【図３】本実施の形態における液晶表示装置の内部構造を示す分解斜視図
【図４】図２のＡ−Ａ線拡大断面図
【図５】図２のＣ部拡大平面図
【図６】本実施の形態の液晶表示装置におけるクッション材の斜視図
【図７】図３のＢ部拡大斜視図
【図８】本実施の形態の液晶表示装置における液晶パネルユニットの斜視図
【符号の説明】
１  液晶表示装置
２  フレーム
４  液晶パネル
５  ＴＡＢ
６  ホルダー
７  凹所
８  クッション材
８ａ，８ｂ  面
９  取付リブ
１０  位置決めピン
１１  位置決め穴
１２  スリット
１３  硬質シート
σ１  隙間（ＴＡＢ折り曲げ部とホルダー内面）
σ２  隙間（硬質シートた端面とホルダー内面）
【図１】
0004711529.tif 000002
【図２】
0004711529.tif 000003
【図３】
0004711529.tif 000004
【図４】
0004711529.tif 000005
【図５】
0004711529.tif 000006
【図６】
0004711529.tif 000007
【図７】
0004711529.tif 000008
【図８】
0004711529.tif 000009